(57)【要約】      （修正有）【課題】バックル本体の大型化を避けると共に、バックル本体に対するベルト端部の挿入のし易さについて改良を施し、ベルト全体の利用長さを任意に調節することができるフリーサイズ仕様のバックル付きベルトを提供する。【解決手段】バックル本体１１の一方の端部には、ベルト１の係止孔１ａに係止する掛け止めピン１２を備えたベルト係止孔通し部１３が形成される。バックル本体の他方の端部には、バックル本体の前面側に向かって曲げられた湾曲部が形成されると共に、当該湾曲部にはベルト係止孔通し部１３を通ったベルト１の一端部と、ベルト１の他端部とがそれぞれ通されるベルト端末挿通部１４が形成される。ベルト端末挿通部１４に通されるベルトの他端部は、バックル本体１１の一部を旋回することで重ね折りにされた状態を構成している。【選択図】図１
0003228361.tif 000002
【実用新案登録請求の範囲】
【請求項１】
長尺状にして偏平状に形成され、少なくとも一端部に掛け止めピンの係止孔が設けられたベルトと、前記ベルトの一端部および他端部がそれぞれ通されるバックル本体とを備えたバックル付きベルトであって、
前記バックル本体の一方の端部には、前記ベルトの係止孔に係止する掛け止めピンを備えたベルト係止孔通し部が形成され、バックル本体の他方の端部には、バックル本体の前面側に向かって曲げられた湾曲部が形成されると共に、当該湾曲部には前記ベルト係止孔通し部を通ったベルトの前記一端部と、ベルトの前記他端部とがそれぞれ通されるベルト端末挿通部が形成され、
前記ベルト端末挿通部に通されるベルトの前記他端部は、前記バックル本体の一部を旋回することで重ね折りにされた状態を構成していることを特徴とするバックル付きベルト。
【請求項２】
前記ベルトの一端部に加えて、前記ベルトの他端部にも、掛け止めピンの係止孔が設けられ、前記ベルトの他端部は、前記掛け止めピンの基端部が取り付けられた柱状体を旋回することで重ね折りにされると共に、前記ベルトの他端部に設けられた係止孔、および前記ベルトの一端部に設けられた係止孔が、それぞれ前記掛け止めピンに係止されたことを特徴とする請求項１に記載のバックル付きベルト。
【請求項３】
前記ベルトの一端部に設けられた掛け止めピンの係止孔が、前記ベルトの長手方向に沿って複数個備えられ、前記ベルトの他端部に設けられた掛け止めピンの係止孔が、前記ベルトの長手方向に沿って複数個備られていることを特徴とする請求項２に記載のバックル付きベルト。
【考案の詳細な説明】
【技術分野】
【０００１】
この考案は、ベルトの端部に掛け止めピンの係止孔が設けられ、ベルト全体の利用長さを任意に調節することができるフリーサイズ仕様のバックル付きベルトの改良に関する。
【背景技術】
【０００２】
長尺状に成形されたレザー製や布製のベルトの一端部に、バックル本体を取り付けたバックル付きベルトが知られており、この種のバックル付きベルトについては、従来より多数の提案がなされ、実用化されている。
これらのバックル付きベルトの代表的な例として、一端部にバックル本体を取り付けたベルトの他端部付近に、長手方向に沿って複数個の掛け止めピンの係止孔が施され、バックル本体に配置された掛け止めピンを、前記係止孔の一つに挿入することで、ベルトの利用長さ（有効長さ）を調整可能にしたものが知られている。
このバックル付きベルトの一つに、バックル本体に偏心回転する刃付きローラが備え、刃付きローラの偏心回転により、ベルトの一端部を噛み食わえて係止締結するようにしたものがある。
【０００３】
ところで、前記した従来のバックル付きベルトによると、ベルトの最初の利用にあたっては、利用者のウエストサイズに合わせるベルト全体の長さ調節を行なう必要がある。この長さ調節にあたっては、ベルトの余剰分をカッターナイフなどでカットした後に、バックル本体側に配置された刃付きローラにより、カットしたベルトの端部をバックル本体に連結させる操作が必要となる。
【０００４】
このようにベルトの余剰分をカット操作する必要がある従来のバックル付きベルトの問題点に着目して、本出願人は先にフリーサイズ仕様のバックル付きベルトについて提案をしており、これは特許文献１に開示されている。
この特許文献１に開示されたバックル付きベルトによると、利用者のウエストサイズに合わせるベルト全体の長さ調節に際して、カッターナイフなどでベルトの一部を切断するなどの操作は必要なく、また、またベルトの有効利用長さを無段階に調節することができる。
【０００５】
一方、ベルトの有効利用長さを無段階に調節することができる他の手段を施したバックル付きベルトが、特許文献２に開示されている。
この特許文献２に開示されたバックル付きベルトによると、バックル本体の中央軸にベルトの一端部が鋲止めされた状態で固定され、前記中央軸の両側にそれぞれ形成された二つの開口に、ベルトの他端部を屈曲させた状態で差し込むことで、ベルトの他端部をバックル本体に装着ならびに固定させるものである。
【先行技術文献】
【特許文献】
【０００６】
【特許文献１】実用新案登録第３２１２６９７号公報
【特許文献２】実用新案登録第３２０８３１０号公報
【考案の概要】
【考案が解決しようとする課題】
【０００７】
ところで、前記した特許文献１に開示のバックル付きベルトにおいては、バックル本体の一方から他方に向かって順に６つのスリットを形成し、ベルトの一部を選択的にスリットに挿入して固定させることが必要である。したがって、バックル本体のベルトに沿った長さ寸法が大型化するという課題があり、バックル本体に対するベルト端部の挿入のし易さについても、改良の余地が残されている。
【０００８】
また、特許文献２に開示のバックル付きベルトによると、バックル本体に対するベルト端部の装着は容易であると言えるが、ベルトが緩み易い問題があり、バックル本体の中央軸にベルトの端部が鋲止めされた状態で固定されるために、利用者のウエストサイズに合わせてベルト全体の長さ調節を行うことは不可能である。
このために、バックル本体の反対側に生ずるベルトの余剰部分が、バックル本体の外側に大きく残り、これが体裁を悪くするなどの問題が残される。
【０００９】
そこで、この考案が解決しようとする主要な課題は、バックル本体の大型化を避けると共に、バックル本体に対するベルト端部の挿入のし易さについて改良を施し、ベルト全体の利用長さを任意に調節することができるフリーサイズ仕様のバックル付きベルトを提供しようとするものである。
【課題を解決するための手段】
【００１０】
前記した課題を解決するためになされたこの考案に係るバックル付きベルトは、長尺状にして偏平状に形成され、少なくとも一端部に掛け止めピンの係止孔が設けられたベルトと、前記ベルトの一端部および他端部がそれぞれ通されるバックル本体とを備えたバックル付きベルトであって、前記バックル本体の一方の端部には、前記ベルトの係止孔に係止する掛け止めピンを備えたベルト係止孔通し部が形成され、バックル本体の他方の端部には、バックル本体の前面側に向かって曲げられた湾曲部が形成されると共に、当該湾曲部には前記ベルト係止孔通し部を通ったベルトの前記一端部と、ベルトの前記他端部とがそれぞれ通されるベルト端末挿通部が形成され、前記ベルト端末挿通部に通されるベルトの前記他端部は、前記バックル本体の一部を旋回することで重ね折りにされた状態を構成していることを特徴とする。
【００１１】
また、前記ベルトの一端部に加えて、前記ベルトの他端部にも、掛け止めピンの係止孔が設けられ、前記ベルトの他端部は、前記掛け止めピンの基端部が取り付けられた柱状体を旋回することで重ね折りにされると共に、前記ベルトの他端部に設けられた係止孔、および前記ベルトの一端部に設けられた係止孔が、それぞれ前記掛け止めピンに係止された構成を採用することもできる。
【００１２】
この場合、前記ベルトの一端部に設けられた掛け止めピンの係止孔が、前記ベルトの長手方向に沿って複数個備えられ、前記ベルトの他端部に設けられた掛け止めピンの係止孔が、前記ベルトの長手方向に沿って複数個備られていることが望ましい。
【考案の効果】
【００１３】
前記したバックル付きベルトによると、バックル本体の端部において、バックル本体の前面側に向かって形成された湾曲部には、ベルト端末挿通部が形成される。このベルト端末挿通部には、掛け止めピンを備えたベルト係止孔通し部を経由したベルトの一端部が通される。したがって、このベルトの一端部は、バックル本体の前面側に向かう湾曲部に設けられたベルト端末挿通部に対して、バックル本体の前面に沿わせて円滑に差し込むことができ、その操作性を改善することができる。
【００１４】
また、前記ベルトの他端部は、前記バックル本体の一部を旋回することで、重ね折りにされた状態でベルト端末挿通部に通されるので、前記バックル本体において旋回されるベルト位置を選択することで、ベルト全体の利用長さを任意に調節することができるフリーサイズ仕様のバックル付きベルトを提供することができる。
この場合、ベルトの他端部に多少の余剰部分が生じても、装着したベルトの内側に余剰部分を隠すことができるので、一定の体裁を整えることに寄与することができる。
【図面の簡単な説明】
【００１５】
【図１】この考案に係るバックル付きベルトの第１実施形態において、バックル本体を破断して示した平面図である。
【図２】同じく第１実施形態において、バックル本体の主要部を示した斜視図である。
【図３】同じく第１実施形態におけるバックル本体の単品構成を示し、（Ａ）は平面図、（Ｂ）はａ−ａ線より矢印方向に見た断面図である。
【図４】この考案に係るバックル付きベルトの第２実施形態において、バックル本体を破断して示した平面図である。
【図５】同じく第２実施形態において用いられるベルトの構成について示した平面図である。
【図６】同じく第２実施形態におけるバックル本体の単品構成を示し、（Ａ）は平面図、（Ｂ）はｂ−ｂ線より矢印方向に見た断面図である。
【図７】同じく第２実施形態において、バックル本体の主要部を示した斜視図である。
【考案を実施するための形態】
【００１６】
この考案に係るバックル付きベルトについて図に示す実施の形態に基づいて説明する。  図１〜図３は、バックル付きベルトの第１実施形態を示しており、このバックル付きベルトは、例えばレザーを素材として長尺状にして偏平状になされたベルト１と、ループを形成した前記ベルト１の一端部および他端部をそれぞれ締結する例えば金属素材により成形されたバックル本体１１との組み合わせにより構成される。
なお、図１に示すバックル本体１１は、説明の便宜上、ベルト１のループ部の大きさに対して故意に拡大した状態で示している。
【００１７】
この第１実施形態に用いられるベルト１については、特に展開した状態では図示していないが、その一端部にバックル本体１１に備えられた掛け止めピン１２が挿通される係止孔１ａが、長手方向に沿って複数個備えられている。
また、ベルト１の他端部は、詳しくは後述するように、バックル本体１１に形成された１つの柱状体ｐ２を旋回することで重ね折りされて、バックル本体１１の一部に締結される。
【００１８】
バックル本体１１は、図３に示すように、金属素材を用いて横長の矩形状に構成されており、左右の外枠１１Ｌ，１１Ｒと、上下の外枠１１Ｕ，１１Ｄの間に、縦向きに３本の柱状体ｐ１，ｐ２，ｐ３が平行状態に配置されている。これにより、左右の外枠１１Ｌ，１１Ｒの間には、第１〜第４の矩形状開口ａ１〜ａ４が形成されている。
そして、バックル本体１１の一方の端部、すなわち図３に示すバックル本体１１の右端部に設けられた開口ａ４には、掛け止めピン１２が配置されて、ここにベルト１の係止孔１ａ部分が通されるベルト係止孔通し部１３が形成されている。
【００１９】
なお、前記掛け止めピン１２の基端部側は、環状に曲げられて柱状体ｐ３へのピン取り付け部１２ａを形成しており、これにより掛け止めピン１２は、柱状体ｐ３の長さ方向のほぼ中央部に、回動可能に取り付けられている。
そして、掛け止めピン１２の先端部側は、バックル本体１１の右外枠１１Ｒの中央部の前面に当接することで、ベルト１の係止孔１ａ部分を係止するように構成されている。
【００２０】
また、バックル本体１１の他方の端部、すなわち図３に示すバックル本体１１の左端部は、バックル本体１１の前面側に向かって曲げられて湾曲部１１Ｃを形成しており、この湾曲部１１Ｃに形成された開口ａ１が、ベルト端末挿通部１４を構成している。
このベルト端末挿通部１４は、図３（Ｂ）に示されているようにバックル本体１１の前面側に沿うようにして開口されており、したがって、図１に示すように前記したベルト係止孔通し部１３を通ったベルト１の先端部を、バックル本体１１の前面に沿わせた状態で、ベルト端末挿通部１４に対して、円滑に差し込むことができる。
【００２１】
前記ベルト端末挿通部１４には、さらに前記ベルト１の他端部が、重ね折りにされた状態で挿入されている。すなわち、図１および図２に示すように、ベルト１の他端部は、ベルト端末挿通部１４に挿入されて、柱状体ｐ２を前面側から背面側に旋回し、これにより、ベルト１の他端部は重ね折りにされた状態で、ベルト端末挿通部１４に再び挿入される。したがって、端部の重なる部分がベルト端末挿通部１４に通されることで、ベルト１の他端部がバックル本体１１に締結されている。
この構成により、旋回して重ね折りにされる柱状体ｐ２に接するベルト位置を選択することで、ベルト全体の利用長さを任意に調節することが可能であり、これにより、フリーサイズ仕様のバックル付きベルトを提供することができる。
【００２２】
この場合、図１に示すように、重ね折りにされたベルト１の他端部を、ベルト端末挿通部１４の内側に配置し、ベルト係止孔通し部１３を通ったベルト１の一端部側を、ベルト端末挿通部１４の前側に通すことで、ベルト１の他端部に多少の余剰部分が生じても、前側のベルトの内側に余剰部分を隠すことができる。したがって、余剰部分を敢えてカッターナイフなどでカットしなくても、一定の体裁を整えることができる。
【００２３】
図４〜図７は、バックル付きベルトの第２実施形態を示しており、この第２実施形態においては、図１〜図３に示した第１実施形態の各部に相当する部分を、同一符号で示している。したがって、その詳細な説明は適宜省略する。
なお、図４に示すバックル本体１１も、説明の便宜上、ベルト１のループ部の大きさに対して故意に拡大した状態で示している。
【００２４】
この第２実施形態においては、第１実施形態に比べて上下の外枠１１Ｕ，１１Ｄの間に、縦向きに配置された柱状体は、符号ｐ１とｐ２で示した２本であり、これにより左右の外枠１１Ｌ，１１Ｒの間には、第１〜第３の矩形状開口ａ１〜ａ３が形成されている。
そして、符号ｐ２で示した柱状体の長さ方向のほぼ中央部に、掛け止めピン１２が基端部のピン取り付け部１２ａを利用して、回動可能に取り付けられている。
したがって、この実施の形態においては、図６に示したバックル本体１１の右端部側の開口ａ３が、ベルト係止孔通し部１３を形成している。
【００２５】
一方、バックル本体１１の他方の端部、すなわち図６に示すバックル本体１１の左端部は、バックル本体１１の前面側に向かって曲げられて湾曲部１１Ｃを形成しており、この湾曲部１１Ｃに形成された開口ａ１が、ベルト端末挿通部１４を構成している。この構成は、第１実施形態と同様である。
【００２６】
図５は、第２実施形態において用いられるベルト１の好ましい形態を、展開した状態で示している。この第２実施形態において用いられるベルト１には、長手方向の左右の端部付近に、それぞれ掛け止めピンの係止孔が施されている。
すなわち、図５に示すベルト１の右端部側には、符号１ａで示す４つの係止孔が、長手方向に沿ってほぼ等間隔に配列されており、これを便宜上一端部側係止孔と呼ぶことにする。また、ベルト１の左端部側には、符号１ｂで示す４つの係止孔が、長手方向に沿ってほぼ等間隔に配列されており、これを他端部側係止孔と呼ぶことにする。
【００２７】
この実施の形態においては、先ずは前記ベルト１の符号１ｂで示す４つの係止孔が形成されたベルト他端部側が、バックル本体１１のベルト端末挿通部１４に取り付けられる。
すなわち、図４に示すようにベルト１の他端部は、ベルト端末挿通部１４に挿入されて、柱状体ｐ２を前面側から背面側に旋回するようにして配置される。この時、他端部側係止孔１ｂのいずれかが、柱状体ｐ２に設けられた掛け止めピン１２に挿通される。
そして、ベルト１の他端部先端は、重ね折りにされた状態で、ベルト端末挿通部１４に再び挿入される。したがって、端部の重なる部分がベルト端末挿通部１４に通されることで、ベルト１の他端部がバックル本体１１に締結される。
【００２８】
一方、前記ベルト１の符号１ａで示す４つの係止孔が形成されたベルトの一端部側は、図１に示すようにベルト係止孔通し部１３に通される。この時、符号１ａで示す４つの係止孔のいずれかが、掛け止めピン１２に係止され、その先端部はバックル本体１１の前面を通って、ベルト端末挿通部１４にそのまま挿入される。
【００２９】
この第２実施形態に係るバックル付きベルトによると、ベルト１の各端部付近に形成された一端部側係止孔１ａのいずれかと、他端部側係止孔１ｂのいずれとを、掛け止めピン１２にそれぞれ選択的に係止させることで、ベルト全体の利用長さを調節することが可能である。しかも、ベルト全体の利用長さが、使用中においてずれるという問題も阻止することができるバックル付きベルトが提供できる。
【符号の説明】
【００３０】
１        ベルト（レザーベルト）
１ａ      一端部側係止孔
１ｂ      他端部側係止孔
１１      バックル本体
１１Ｃ    湾曲部
１１Ｌ    左外枠
１１Ｒ    右外枠
１１Ｕ    上外枠
１１Ｄ    下外枠
１２      掛け止めピン
１２ａ    ピン取り付け部
１３      ベルト係止孔通し部
１４      ベルト端末挿通部
ａ１〜ａ４    矩形状開口
ｐ１〜ｐ３    柱状体
【図１】
0003228361.tif 000003
【図２】
0003228361.tif 000004
【図３】
0003228361.tif 000005
【図４】
0003228361.tif 000006
【図５】
0003228361.tif 000007
【図６】
0003228361.tif 000008
【図７】
0003228361.tif 000009